(57)【要約】【課題】放電灯間の寄生容量などの影響を受けずに複数の放電灯を点灯可能な、高信頼の放電灯点灯装置を提供する。【解決手段】２本の放電灯を点灯する第１のリーケージトランスＴ１と、１本の放電灯を点灯する第２のリーケージトランスＴ２を用い、該第２のリーケージトランスＴ２によって点灯される放電灯Ｌ２を前記第１のリーケージトランスによって点灯される２本の放電灯Ｌ１、Ｌ３の間に配置した。更に前記第２のリーケージトランスＴ２の一次巻線ｎ３の巻数を調整して各放電灯の管電流が等しくなるようにする。【選択図】　図３
2004103316.tif 000002
【特許請求の範囲】
【請求項１】
複数個の放電灯の光を反射する反射板と前記複数個の放電灯を駆動するリーケージトランスを備え、該リーケージトランスは、それぞれ独立した２組の一次巻線と二次巻線とが卷回された第１のリーケージトランスと、それぞれ独立した１組一次巻線と二次巻線とが卷回された第２のリーケージトランスで構成され、前記第１のリーケージトランスにより２本の放電灯が、第２のリーケージトランスにより１本の放電灯が、それぞれ点灯されることを特徴とする放電灯点灯装置。
【請求項２】
前記複数個の放電灯は、それぞれ平行に配置され、第２のリーケージトランスにより点灯される１本の放電灯は、前記第１のリーケージトランスにより点灯される２本の放電灯の間に配置されていることを特徴とする請求項１に記載の放電灯点灯装置。
【請求項３】
前記第１のリーケージトランスと第２のリーケージトランスは、同一駆動回路により駆動され、前記３本の放電灯は、それぞれ同位相で点灯されることを特徴とする請求項１に記載の放電灯点灯装置。
【請求項４】
前記第２のリーケージトランスの巻線数は、前記３本の放電灯それぞれに流れる点灯時の電流が等しくなる巻線数であることを特徴とする請求項１に記載の放電灯点灯装置。
【請求項５】
前記第１のリーケージトランスの２本の棒状コアにそれぞれ巻回されている一次巻線、二次巻線の巻線数は、それぞれ同数であることを特徴とする請求項１から４の何れかに記載の放電灯点灯装置。
【請求項６】
前記第１のリーケージトランスは、略四角形型のコアの相対する辺に直交する２本の棒状コアが互いに平行に配置され、前記略四角形型のコアと２本の棒状コアとが互いに交わる箇所は所定の空隙を有して一体化されると共に、前記それぞれの棒状のコアに、それぞれ独立した２組の一次巻線と二次巻線とが卷回されており、第２のリーケージトランスは、略四角形型のコアの相対する辺の略中央の位置に、前記相対する辺に直交する１本の棒状コアが配置され、前記略四角形型のコアと１本の棒状コアとが互いに交わる箇所は所定の空隙を有して一体化されると共に、前記棒状のコアに、それぞれ独立した１組の一次巻線と二次巻線とが卷回されていることを特徴とする請求項１に記載の放電灯点灯装置。
【請求項７】
前記第１のリーケージトランスは、略四角形型のコアの相対する辺に直交する２本の棒状コアが互いに平行に配置され、前記略四角形型のコアと２本の棒状コアとが互いに交わる箇所は所定の空隙を有して一体化されると共に、前記それぞれの棒状のコアに、それぞれ独立した２組の一次巻線と二次巻線とが卷回されており、第２のリーケージトランスは、略コ型のコアの相対する辺に直交する１本の棒状コアを略四角形型のコアとなるように配置され、略コ形型のコアと１本の棒状コアとが互いに交わる箇所は所定の空隙を有して一体化されると共に、前記棒状のコアに、それぞれ独立した１組の一次巻線と二次巻線とが卷回されていることを特徴とする請求項１に記載の放電灯点灯装置。
【発明の詳細な説明】
【０００１】
【発明の属する技術分野】
本発明は、例えば大型の液晶表示装置のバックライト用光源として、複数の放電灯を点灯するのに使用して好適な放電灯点灯装置に関する。
【０００２】
【従来の技術】
従来、大型の液晶表示装置のバックライト用光源としての冷陰極放電灯を点灯する放電灯点灯装置として、高周波点灯の放電灯点灯装置が提案されている。斯かる放電灯点灯装置は、図６に示すように、複数本、例えば６本の冷陰極放電灯Ｌ１、Ｌ２、Ｌ３、Ｌ４、Ｌ５、Ｌ６を用いて、該放電灯の光を反射板Ｒと導光板ＰＬとにより、液晶表示装置に光を照射している。
【０００３】
前記放電灯点灯装置として、従来から図７、図８のような放電灯点灯装置が用いられている。図７において、点灯回路ＬＣは、制御回路ＣＴによって駆動される駆動回路Ｄと、リーケージトランスＴ及び放電灯Ｌとそれに直列に接続されている抵抗器Ｒ１で構成されている。前記点灯回路ＬＣは、放電灯Ｌ毎にそれぞれ設けられている。又、図８において、点灯回路ＬＣは、制御回路ＣＴによって駆動される駆動回路Ｄと、リーケージトランスＴ及びそれぞれ並列に接続されているバラストコンデンサＣＢと、該バラストコンデンサＣＢそれぞれに直列に接続されている放電灯Ｌで構成されている。前記バラストコンデンサＣＢは、放電灯Ｌ毎にそれぞれ設けられている。
【０００４】
前記制御回路ＣＴは、直流電源Ｖが印加され、所定の交流信号を発し、抵抗器Ｒ１から放電灯Ｌに流れる管電流を検出して駆動回路Ｄの振幅を調整する。しかし、前記図７の放電灯点灯装置は、高圧で高周波のトランスを放電灯Ｌの数だけ必要とすると共に、それぞれの放電灯の管電流が同一になるように調整することが必要である。又、前記図８の放電灯点灯装置は、高圧で高電流のコンデンサを必要とする。一方、前記放電灯Ｌは、安定な点灯動作のために点灯周波数を例えば５０ｋＨｚと高めてある。その結果、図６に示すように、反射板Ｒと冷陰極放電灯Ｌ１、Ｌ２、Ｌ３、Ｌ４、Ｌ５、Ｌ６との間、及び冷陰極放電灯相互間の浮遊容量の影響を受ける。その結果、各放電灯の管電流が変化して照度にばらつきが生ずるという問題がある。
【０００５】
前記問題点を解決する手段として、例えば大型の液晶表示装置のバックライト用光源として、複数の放電灯を点灯する図９に示すような放電灯点灯装置に関するものがある（例えば特許文献１参照。）。直流電源３１と、前記直流電源３１の一端と他端との間に直列接続された第１及び第２のスイッチング素子１２、１３を具備する。前記第１及び第２のスイッチング素子１２、１３の接続中点と前記直流電源３１の他端との間には、インダクタンス１５ａ及び第１のコンデンサ１７の第１の直列共振回路が接続されている。又、前記インダクタンス１５ａ及び第１のコンデンサ１７の接続中点と前記直流電源３１の他端との間には第２のコンデンサ１５ｂが接続されている。第１の放電灯１８及び電流検出用の第１の抵抗器１９の直列回路と、前記第１の放電灯１８の電流が設定値と等しくなるように前記第１及び第２のスイッチング素子１２、１３のスイッチング周波数を制御する第１の制御回路２３とを有する。
【０００６】
前記第１及び第２のスイッチング素子１２、１３の接続中点と前記直流電源３１の他端との間には可変インダクタンス２１ａ及び第３のコンデンサ２２とで形成される第２の直列共振回路が設けられている。又、前記可変インダクタンス２１ａ及び第３のコンデンサ２２の接続中点と前記直流電源３１の他端との間には第４のコンデンサ１０、第２の放電灯１１及び電流検出用の第２の抵抗器２３ａの直列回路が接続されている。前記可変インダクタンス２１ａのインダクタンス値を制御する第２の制御回路２３を設け、前記可変インダクタンス２１ａのインダクタンス値を前記第２の放電灯１１の電流が設定値と等しくなるように調整する。２本以上の放電灯を点灯する場合には、前記可変インダクタンス２１ａ及び第３のコンデンサ２２の第２の直列共振回路と、前記第４のコンデンサ１０、第２の放電灯１１及び電流検出用の第２の抵抗器２３ａの直列回路と、前記第２の制御回路２３とを複数組設ける。
【０００７】
前記スイッチング素子としてのＦＥＴ１２及び１３はマイクロコンピュータ等より成る制御回路１４より夫々のゲートに供給される制御信号により交互にオン、オフする。またこの制御回路１４はこの制御信号の周波数を所定範囲に亘って制御できる。このＦＥＴ１２のソースＳ及びＦＥＴ１３のドレインＤの接続中点を直列共振回路１５を構成するコイル１５ａ及びコンデンサ１５ｂの直列回路を介して直流電源３１の負極に接続し、このコイル１５ａのインダクタンス値及びコンデンサ１５ｂの容量値を夫々所定の値とし、この直列共振回路１５の共振周波数ｆ０　を所定の周波数とする。
【０００８】
【特許文献１】
特開平１１−２６０５８０号公報
【０００９】
【発明が解決しようとする課題】
しかし、斯かる方法では、以下のような問題点があった。即ち、前記可変インダクタンス２１ａのインダクタンス値を前記第２の放電灯１１の電流が設定値と等しくなるように調整する。その為に、インダクタンス値を制御する第２の制御回路２３が必要である。更に、２本以上の放電灯を点灯する場合には、前記可変インダクタンス２１ａ及び第３のコンデンサ２２の第２の直列共振回路と、前記第４のコンデンサ１０、第２の放電灯１１及び電流検出用の第２の抵抗器２３ａの直列回路と、前記第２の制御回路２３とを複数組設ける必要がある。したがって、例えば図６に示したように、６本の放電灯を点灯する場合には、回路が複雑になると共に、部品数が増加し、価格の低減が難しい。更に、部品数の増加と共に装置の信頼性が低下する。
【００１０】
本発明はかかる問題を解決して部品数が少なく、放電灯間の寄生容量などの影響を受けずに複数の放電灯を点灯可能な、高信頼の放電灯点灯装置を提供することを目的としてなされたものである。
【００１１】
【課題を解決するための手段】
本発明は上記目的を達成するために請求項１記載の放電灯点灯装置では、複数個の放電灯の光を反射する反射板と前記複数個の放電灯を駆動するリーケージトランスを備え、前記リーケージトランスは、それぞれ独立した２組の一次巻線と二次巻線とが卷回された第１のリーケージトランスと、それぞれ独立した１組一次巻線と二次巻線とが卷回された第２のリーケージトランスで構成され、前記第１のリーケージトランスにより２本の放電灯が、第２のリーケージトランスにより１本の放電灯が、それぞれ点灯されることを特徴とする。
【００１２】
また、第２の解決手段は、請求項１に記載の放電灯点灯装置において、前記複数個の放電灯は、それぞれ平行に配置され、第２のリーケージトランスにより点灯される１本の放電灯は、前記第１のリーケージトランスにより点灯される２本の放電灯の間に配置されていることを特徴とする。
【００１３】
また、第３の解決手段は、請求項１に記載の放電灯点灯装置において、前記第１のリーケージトランスと第２のリーケージトランスは、同一駆動回路により駆動され、前記３本の放電灯は、それぞれ同位相で点灯されることを特徴とする。
【００１４】
また、第４の解決手段は、請求項１に記載の放電灯点灯装置において、前記第２のリーケージトランスの巻線数は、前記３本の放電灯それぞれに流れる点灯時の電流が等しくなる巻線数であることを特徴とする。
【００１５】
また、第５の解決手段は、請求項１に記載の放電灯点灯装置において、前記第１のリーケージトランスの２本の棒状コアにそれぞれ巻回されている一次巻線、二次巻線の巻線数は、それぞれ同数であることを特徴とする。
【００１６】
また、第６の解決手段は、請求項１に記載の放電灯点灯装置において、前記第１のリーケージトランスは、略四角形型のコアの相対する辺に直交する２本の棒状コアが互いに平行に配置され、前記略四角形型のコアと２本の棒状コアとが互いに交わる箇所は所定の空隙を有して一体化されると共に、前記それぞれの棒状のコアに、それぞれ独立した２組の一次巻線と二次巻線とが卷回されており、第２のリーケージトランスは、略四角形型のコアの相対する辺の略中央の位置に、前記相対する辺に直交する１本の棒状コアが配置され、前記略四角形型のコアと１本の棒状コアとが互いに交わる箇所は所定の空隙を有して一体化されると共に、前記棒状のコアに、それぞれ独立した１組の一次巻線と二次巻線とが卷回されていることを特徴とする。
【００１７】
また、第７の解決手段は、請求項１に記載の放電灯点灯装置において、前記第１のリーケージトランスは、略四角形型のコアの相対する辺に直交する２本の棒状コアが互いに平行に配置され、前記略四角形型のコアと２本の棒状コアとが互いに交わる箇所は所定の空隙を有して一体化されると共に、前記それぞれの棒状のコアに、それぞれ独立した２組の一次巻線と二次巻線とが卷回されており、第２のリーケージトランスは、略コ型のコアの相対する辺に直交する１本の棒状コアを略四角形型のコアとなるように配置され、略コ形型のコアと１本の棒状コアとが互いに交わる箇所は所定の空隙を有して一体化されると共に、前記棒状のコアに、それぞれ独立した１組の一次巻線と二次巻線とが卷回されていることを特徴とする。
【００１８】
【発明の実施の形態】
本発明の放電灯点灯装置は、図１に示す第１のリーケージトランスと、図２に示す第２のリーケージトランスを用いる。まず、図１及び図２についてリーケージトランスの構造を説明する。図１において、第１のリーケージトランスＴ１は、図１（ａ）に示すように、略四角形型のコア１の相対する辺Ｈ１、Ｈ２に直交する２本の棒状コア２ａ、２ｂが互いに平行に配置されている。前記略四角形型のコア１と２本の棒状コア２ａ、２ｂとが互いに交わる箇所は接着剤、その他の絶縁フィルム等により所定の空隙ｇ（例えば２５μｍ程度）を有して一体化されている。前記それぞれの棒状のコア２ａ、２ｂには、それぞれ独立した一次巻線ｎ１と二次巻線ｎ２が互いに同位相となるようにボビン２ｄ、２ｅに卷回され、前記二次巻線ｎ２には、ボビン２ｄ、２ｅには絶縁破壊を防止するための鍔部セパレータＺが、任意の箇所に所定の数設けられて第１のリーケージトランスが形成されている。なお、図１（ｃ）に示すように、前記略四角形型のコア１は、辺Ｈ１、Ｈ２に直交する他の２辺Ｈ３、Ｈ４が、辺Ｈ１、Ｈ２に対してコの字型に形成されている。
【００１９】
２本の棒状コア２ａ、２ｂの上端と下端はボビン２ｄ，２ｅから露出し前記コの字型状に形成された２辺Ｈ３、Ｈ４の内側にそれぞれ嵌合されている。ボビン２ｄ，２ｅには一次巻線ｎ１と二次巻線ｎ２をそれぞれ外部に引き出す端子ＰＰ１乃至ＰＰ８が設けられている。一次巻線ｎ１は、前記端子ＰＰ３とＰＰ５及びＰＰ６とＰＰ８にそれぞれ接続されている。二次巻線ｎ２は、前記端子ＰＰ１とＰＰ４及びＰＰ２とＰＰ７にそれぞれ接続されている。
【００２０】
図２に示すように、第２のリーケージトランスＴ２は、略コ型のコア３の相対する辺Ｈ１、Ｈ２に直交する１本の棒状コア２ｃが辺Ｈ４に対向する位置に略四角形型のコアとなるように配置されている。略コ形型のコア３と１本の棒状コア２ｃとが互いに交わる箇所は接着剤、その他の絶縁フィルム等により所定の空隙ｇ（例えば２５μｍ程度）を有して一体化されている。前記棒状のコア２ｃはボビン２ｆに挿入され、ボビン２ｆにはそれぞれ独立した一次巻線ｎ３と二次巻線ｎ４が卷回され、ボビン２ｆには、絶縁破壊を防止するための鍔部セパレータＺが、複数設けられて第２のリーケージトランスが形成されている。一次巻線ｎ３は、前記端子ＰＰ１０とＰＰ１２に接続されている。二次巻線ｎ４は、前記端子ＰＰ９とＰＰ１１に接続されている。前記第１のリーケージトランスにより２本の放電灯が、前記第２のリーケージトランスにより１本の放電灯が、後述するようにして、それぞれ点灯される。
【００２１】
図３は、前記第２のリーケージトランスＴ２の他の実施形態の図である。図２と異なる点は、以下である。即ち、図２においては、略コ型のコア３を用いているが、図３においては、図１に用いたのと同様な形状である、略四角形型のコア４の相対する辺Ｈ１、Ｈ２の略中央の位置に、前記相対する辺に直交する１本の棒状コア２ｃが配置されている。その他は、図２と同様であり、説明を省略する。図３の構造は、１本の棒状コア２ｃの両側に磁路が形成されるため、同一形状であれば、磁束飽和密度を２倍にすることができる。あるいは、辺Ｈ１、Ｈ２、Ｈ３、Ｈ４の断面積にすれば磁束飽和密度はそのままで、第２のリーケージトランスＴ２を小型化できる。また、図２に比べて構造上のバランスがよく、従って作り易い。また、特性が安定すると共に、図１に示した第１のリーケージトランスを共用した場合には部品点数の減少によりコストの低減と製品の信頼性が向上する。
【００２２】
図４は、前記第１のリーケージトランスと第２のリーケージトランスを用いた、放電灯点灯装置の実施形態を示す図である。冷陰極放電灯Ｌ１、Ｌ２、Ｌ３の両端子が点灯回路７の出力端子ｆ、ｇ及びｈ、ｉ並びにｊ、ｋに、それぞれ接続されている。前記点灯回路７の入力端子ａ、ｂ、ｃ、ｄは、端子ＤＣ１、ＤＣ２に印加された直流電圧を交流に変換する制御回路５の出力端子Ｐ１、Ｐ２、Ｎ１、Ｎ２にそれぞれ接続されていて、各出力端子Ｐ１、Ｐ２、Ｎ１、Ｎ２からは後述するタイミングで信号が出力されている。制御回路５の入力端子ＣＮには、陰極放電灯Ｌ１、Ｌ２、Ｌ３の管電流を検出する出力信号端子ｅが接続されていて制御回路５によって冷陰極放電灯Ｌ１、Ｌ２、Ｌ３が所定の管電流となるように調整される。前記制御回路５は端子ＤＣ１、ＤＣ２に直流電圧が印加されるとそれを交流電圧に変換するＬＳＩ、又はマイクロプロセッサである。同様に、冷陰極放電灯Ｌ４、Ｌ５、Ｌ６にも前記同様の点灯回路７が接続されていて、入力端子ａ、ｂ、ｃ、ｄ、ｅは制御回路５の出力端子Ｐ１、Ｐ２、Ｎ１、Ｎ２にそれぞれ接続されている。また、制御回路５の入力端子ＣＮには、冷陰極放電灯Ｌ４、Ｌ５、Ｌ６の管電流を検出する出力信号端子ｅが接続されている。
【００２３】
前記冷陰極放電灯Ｌ１、Ｌ２、Ｌ３と冷陰極放電灯Ｌ４、Ｌ５、Ｌ６は、図６に示したように反射板Ｒと導光板ＰＬとにより、液晶表示装置に光を照射するように構成されている。なお、前記冷陰極放電灯Ｌ１、Ｌ２、Ｌ３は、それぞれ図６に示したと同一の配置になっている。即ち、冷陰極放電灯Ｌ１、Ｌ２、Ｌ３は導光板ＰＬの一方の端に、冷陰極放電灯Ｌ４、Ｌ５、Ｌ６は導光板ＰＬの他方の端に、それぞれ配置されている。又、導光板ＰＬの一方の端に設けられている一方の反射板Ｒの中央に位置する冷陰極放電灯Ｌ２は、前記第２のリーケージトランスＴ２の出力端子ｊ、ｋに接続されており、その両端に位置する冷陰極放電灯Ｌ１、Ｌ３は前記第１のリーケージトランスＴ１の出力端子ｆ、ｇ及びｈ，ｉに、それぞれ接続されている。同様にして、導光板ＰＬの他方の端に設けられている他方の反射板Ｒの中央に位置する冷陰極放電灯Ｌ５は、前記第２のリーケージトランスＴ２の出力端子ｊ、ｋに接続されており、その両端に位置する冷陰極放電灯Ｌ４、Ｌ６は前記第１のリーケージトランスＴ１の出力端子ｆ、ｇ及びｈ，ｉに、それぞれ接続されている。
【００２４】
次に点灯回路７について説明する。図４において、前記第１のリーケージトランスＴ１及び第２のリーケージトランスは、それぞれ同位相の一次巻線ｎ１、ｎ１、ｎ３が、周知のフルブリッジ回路６の出力端子Ｑ１、Ｑ２に接続されている。前記フルブリッジ回路６のゲート端子Ｇは、前記点灯回路７の入力端子ａ、ｂ、ｃ、ｄ、ｅを介して、前記制御回路５の出力端子Ｐ１、Ｐ２、Ｎ１、Ｎ２にそれぞれ接続されている。前記フルブリッジ回路６は、Ｐ型とＮ型のＦＥＴを２組Ｆ１、Ｆ２、Ｆ３、Ｆ４を、それぞれ従続に接続し、その中点を出力端子Ｑ１、Ｑ２とした回路で、Ｆ１、Ｆ２のドレイン端子Ｄには直流電源Ｖが印加され、Ｆ３、Ｆ４のソース端子Ｓは接地されている。
【００２５】
前記第１のリーケージトランスＴ１及び第２のリーケージトランスＴ２は、それぞれ同位相の二次巻線ｎ２、ｎ２、ｎ４の一方の出力端子が冷陰極放電灯Ｌ１、Ｌ３、Ｌ２の一方の端子（ホット端子）に、他方の出力端子が抵抗器Ｒ１を介して冷陰極放電灯Ｌ１、Ｌ３、Ｌ２の他方の端子（コールド端子）にそれぞれ接続されている。前記他方の出力端子と抵抗器Ｒ１の接続点は、それぞれ接地されていて、冷陰極放電灯Ｌ１、Ｌ３、Ｌ２の他方の端子（コールド端子）と抵抗器Ｒ１の接続点には、それぞれダイオードＤのアノード端子が接続されており、そのカソード端子は互いに接続されて出力信号端子ｅを介して制御回路５の入力端子ＣＮに接続されている。
【００２６】
冷陰極放電灯Ｌ４、Ｌ５、Ｌ６についても同様であり、その違いは以下のようである。即ち、前記第１のリーケージトランスＴ１及び第２のリーケージトランスＴ２は、それぞれ同位相の二次巻線ｎ２、ｎ２、ｎ４の一方の出力端子が冷陰極放電灯Ｌ４、Ｌ６、Ｌ５の一方の端子（ホット端子）に、他方の出力端子が抵抗器Ｒ１を介して冷陰極放電灯Ｌ４、Ｌ６、Ｌ５の他方の端子（コールド端子）にそれぞれ接続されている。前記他方の出力端子と抵抗器Ｒ１の接続点は、それぞれ接地されていて、冷陰極放電灯Ｌ４、Ｌ６、Ｌ５の他方の端子（コールド端子）と抵抗器Ｒ１の接続点には、それぞれダイオードＤのアノード端子が接続されており、そのカソード端子は互いに接続されて出力信号端子ｅを介して制御回路５の入力端子ＣＮに接続されている。
【００２７】
次に図４における動作について冷陰極放電灯Ｌ１、Ｌ３、Ｌ２が接続されている側について説明する。冷陰極放電灯Ｌ４、Ｌ５、Ｌ６が接続されている側についても同様なので、その説明を省略する。前記制御回路５の出力端子Ｐ１、Ｐ２、Ｎ１、Ｎ２には、前記フルブリッジ回路６のそれぞれのＦＥＴのゲート端子Ｇに所定の駆動信号を印加する信号が出力されていて、２組のＦＥＴが導通される。即ち、ＦＥＴのうち、Ｆ１とＦ４が導通して端子Ｑ１側からＱ２側に、及びＦ２とＦ３が導通して端子Ｑ２側からＱ１側に交互に導通される。その結果、前記リーケージトランスＴ１、Ｔ２の一次巻線に交流信号（４０乃至６０ｋＨｚ）が流れ、所定の電圧がリーケージトランスＴ１、Ｔ２の二次巻線に生じる。
【００２８】
前記フルブリッジ回路６により得られた交流信号は、第１のリーケージトランスと第２のリーケージトランスの一次巻線ｎ１、ｎ１、ｎ３に同位相で印加され、それぞれ二次巻線ｎ２、ｎ２、ｎ４に同位相で電圧が出力される。該出力電圧により冷陰極放電灯Ｌ１、Ｌ３、Ｌ２が点灯されると管電流が流れ、該管電流の値が最大の冷陰極放電灯に接続されたダイオードＤのみが導通される。該ダイオードＤで検出された前記最大の管電流は、制御回路５の入力端子ＣＮに入力され、制御回路５によって各冷陰極放電灯Ｌ１、Ｌ３、Ｌ２の管電流が一定になるように制御される。
【００２９】
【実施例】
次に、図４の実施形態により、冷陰極放電灯Ｌ１、Ｌ２、Ｌ３、Ｌ４、Ｌ５、Ｌ６を点灯した時の実施例について図５を用いて説明する。図５における条件は以下のようである。
第１のリーケージトランスの一次巻線ｎ１と二次巻線ｎ２の巻線数は、それぞれ２５回、２４００回である。
第２のリーケージトランスの二次巻線ｎ４の巻線数は２４００回である。
第２のリーケージトランスの一次巻線ｎ３の巻線数は巻線１のケースでは２５回、巻線２のケースでは２１回である。
結線１では、反射板Ｒの一方の端に位置する冷陰極放電灯Ｌ３が第２のリーケージトランスＴ２に接続されており、中央及び冷陰極放電灯Ｌ３の反対の端に位置する冷陰極放電灯Ｌ１、Ｌ２が第１のリーケージトランスＴ１に、それぞれ接続されている。
結線２では、反射板Ｒの中央に位置する冷陰極放電灯Ｌ２が第２のリーケージトランスＴ２に接続されており、その両端に位置する冷陰極放電灯Ｌ１、Ｌ３が第１のリーケージトランスＴ１に、それぞれ接続されている。
位相差１は、冷陰極放電灯Ｌ１、Ｌ２、Ｌ３の管電流の位相差であって、冷陰極放電灯Ｌ１、Ｌ２、Ｌ３間の最大位相差である。
位相差２は、冷陰極放電灯Ｌ４、Ｌ５、Ｌ６の管電流の位相差であって、冷陰極放電灯Ｌ４、Ｌ５、Ｌ６間の最大位相差である。なお、前記結線２が本発明の実施形態であり結線１は、比較のための冷陰極放電灯の配置例である。図５において、ＩＬｎ（ｎは整数）、Ｖｏｐｎ（ｎは整数）は、それぞれ冷陰極放電灯Ｌｎ（ｎは整数）の管電流と管電圧に対応する。
【００３０】
図５において、各冷陰極放電灯の管電流の差と、管電流の位相差が最も少ないのは、巻線２における結線２の場合である。即ち、反射板Ｒの中央に位置する冷陰極放電灯Ｌ２が第２のリーケージトランスＴ２に接続されており、その両端に位置する冷陰極放電灯Ｌ１、Ｌ３が第１のリーケージトランスＴ１に、それぞれ接続されている場合であって、第２のリーケージトランスの一次巻線ｎ３の巻線数が２１回の場合である。
【００３１】
前記図５の結果を一般形式で表現した場合以下のようになる。即ち、第２のリーケージトランスにより点灯される１本の放電灯は、前記第１のリーケージトランスにより点灯される２本の放電灯の間に配置されている。そして、第１のリーケージトランスにそれぞれ卷回されている一次巻線の巻線数は、それぞれ同数である。更に、前記第１のリーケージトランスにそれぞれ卷回されている二次巻線と、第２のリーケージトランスに卷回されている二次巻線の巻線数は、それぞれ同数である。又、第２のリーケージトランスに卷回されている一次巻線の巻線数は、前記第１のリーケージトランスにそれぞれ卷回されている一次巻線の巻線数より少ない。斯かる場合、前記３本の放電灯それぞれに流れる点灯時の電流が等しくなる。
【００３２】
【発明の効果】
本発明の放電灯点灯装置によれば、２本の放電灯を点灯する第１のリーケージトランスと、１本の放電灯を点灯する第２のリーケージトランスを用い、該第２のリーケージトランスによって点灯される放電灯を前記第１のリーケージトランスによって点灯される２本の放電灯の間に配置した。更に前記第２のリーケージトランスの、一次巻線の巻数を調整して各放電灯の管電流が等しくなるようにすることにより、放電灯周辺の寄生容量の影響を受けないで複数の放電灯を点灯できる、部品数の少ない、低価格、高信頼性の放電灯点灯装置が提供できる。
【図面の簡単な説明】
【図１】本発明における第１のリーケージトランスの構成図であって、図１（ａ）、（ｂ）、（ｃ）は、それぞれ第１のリーケージトランスの正面図、右側面図、底面図である。
【図２】本発明における第２のリーケージトランスの、第２の実施形態の図であって、図２（ａ）、（ｂ）、（ｃ）は、それぞれ第２のリーケージトランスの正面図、右側面図、底面図である。
【図３】本発明における第２のリーケージトランスの、第２の実施形態の図であって、図３（ａ）、（ｂ）、（ｃ）は、それぞれ第２のリーケージトランスの正面図、右側面図、底面図である。
【図４】第１のリーケージトランスと第２のリーケージトランスを用いた、本発明の放電灯点灯装置の実施形態を示す図である。
【図５】図４の放電灯点灯装置の実施形態における具体的な実験結果を示す図である。
【図６】従来の液晶表示装置における照明の側面説明図である。
【図７】従来の放電灯点灯装置における実施形態のブロック図である。
【図８】従来の放電灯点灯装置における他の実施形態のブロック図である。
【図９】従来の放電灯点灯装置における実施形態の回路図である。
【符号の説明】
１　略四角形型のコア
２ａ、２ｂ　棒状コア
３　略コ型のコア
５　制御回路
６　フルブリッジ回路
７　点灯回路
Ｌ１、Ｌ２、Ｌ３、Ｌ４、Ｌ５、Ｌ６　冷陰極放電灯
Ｔ１　第１のリーケージトランス
Ｔ２　第２のリーケージトランス
【図１】
2004103316.tif 000003
【図２】
2004103316.tif 000004
【図３】
2004103316.tif 000005
【図４】
2004103316.tif 000006
【図５】
2004103316.tif 000007
【図６】
2004103316.tif 000008
【図７】
2004103316.tif 000009
【図８】
2004103316.tif 000010
【図９】
2004103316.tif 000011